(57)【要約】【課題】算出が容易な日数算出支援システムの提供。【解決手段】土木工事等の積算に際して、複数の土木機械や仮設材等を複数の場所で使用する状況が存在する場合、場所ごとの当該機械等を必要とする日数を数値で情報入力画面１１０を用いて入力させ、それを基に全体の工事日数が最小となるように場所の着手順序を自動決定してチャート表示画面１２０として表示し、日程の微調整をチャートのマウス操作により容易に実現可能とし、算出された機械単位の供用日数（現場に置かれている日数）を土木工事積算システムの内訳の一つとして利用可能とする日数算出支援システム。【選択図】  図１
2004287523.tif 000002
【特許請求の範囲】
【請求項１】
複数の機械（仮設材を含む、以下同様）を複数の場所で個別に使用し、前記複数の機械の供用日数を算出する日数算出支援システムであって、複数の場所毎の複数の機械毎の使用日数を入力とし、同一の機械を同時に複数の場所で使用しないこと及び同一の場所での機械の使用順序は予め入力された順序とするという条件下において、場所の順番の組合せとして考えられる全ての組合せについて、最初の場所で最初の機械を使用開始した日から最後の場所で最後の機械を使用終了した日までの機械毎の日数を全ての組合せにおいて合算し、この合算した全ての組合せの日数の内から最小となる日数と、当該最小日数を演算した機械の着手順とを選定し、前記機械別の着手順をタイムチャートの形で表示することを特徴とする日数算出支援システム。
【発明の詳細な説明】
【０００１】
【産業上の利用分野】
本発明は、土木工事等の機械が現場に置かれている供用日数を効率的に算出することができる土木積算システムに好適な日数算出支援システムに関する。
【０００２】
【従来の技術】
一般的に土木工事の工事費用を積算する土木積算システムは、シャベルカー等の多くの土木機械や仮設材等（以下、機械と呼ぶ）をリース会社から借り受ける場合、その機械を借り受けてから返却するまでの機械が現場に置かれている日数（供用日数と呼ぶ）に基づいてリース費用を算出する必要がある。
【０００３】
前記供用日数は、同じ機械を複数の場所で使用する場合、その機械の使用場所や使用日数並びに現場間の移動時間等を考慮し、供用日数を最小にすることが望ましい。従来技術においては、前記供用日数の算出は、当該供用日数を最小にするために、複数の土木工事の全体日程／使用日数／移動時間等を考慮し、機械の配置スケジュールを組まなければならず、従来技術においては人手によって行われていた。
【０００４】
尚、前述の土木積算システムに関する技術が記載された公報としては、例えば特開２００２−４１８７７号公報、特開２００２−１２９５９９号公報、特開２００１−２３６４１５号公報が挙げられる。
【０００５】
【発明が解決しようとする課題】
前述の様に従来技術による土木積算システムにおける供用日数の算出は、全体の工事日数を最小となるようなチャートを手作業で作成し、着手順の組合せが幾種類も考えられ、これら組合せを試行錯誤しながら日数が最小となるものを見出す必要があるため、チャートの作成に時間を要すると言う不都合があった。また、一度作成したチャートの一部を修正する必要が発生した場合、修正箇所より後ろの部分すべてを描き直す必要があるため、修正にも多大な時間を要すると言う不都合もあった。
【０００６】
本発明の目的は、前述の従来技術による不都合を除去することであり、条件を数値で与えることにより最小の工事日数を示すチャートが自動的に作成され、チャートの修正もマウス操作で容易に可能とすることにより、供用日数計算を容易に行うことが出来る土木積算システムに好適な日数算出支援システムを提供することである。
【０００７】
【課題を解決するための手段】
前記目的を達成するために本発明は、複数の機械を複数の場所で個別に使用し、前記複数の機械の供用日数を算出する日数算出支援システムにおいて、場所の順番の組合せとして考えられる全ての組合せについて、最初の場所で最初の機械を使用開始した日から最後の場所で最後の機械を使用終了した日までの機械毎の日数を全ての組合せにおいて合算し、この合算した全ての組合せの日数の内から最小となる日数と、当該最小日数を演算した機械の着手順とを選定し、前記機械別の着手順をタイムチャートの形で表示することを特徴とする。
【０００８】
【発明の実施の形態】
以下、本発明の一実施形態による土木積算システムに好適な日数算出支援システムの一実施形態を図面を参照して詳細に説明する。図１は、本実施形態による供用日数算出支援システムと土木積算システムとの関係を示す図、図２は本実施形態における情報入力画面の一例を説明するための図、図３は本実施形態におけるチャート表示画面の一例を説明するための図、図４は本実施形態における内訳書明細候補画面の一例を説明するための図、図５は本実施形態による日数算出支援システムの動作を説明するためのフローチャート図、図６は図１に示した着手順データベース及び供用日数データベースの構成を説明するための図である。
【０００９】
本実施形態による日数算出支援システムは、図１に示す如く、土木工事に関する各種業務に関する単価情報データベース１７０の一部に接続され、後述する処理によって内訳書明細画面１４０に機械毎の供用日数を表示するものであって、各種土木工事の工事日程に応じた工事の着手順を格納する着手順データベース１５０と、機械別の供用日数のデータを格納するための供用日数データベース１６０と、機械の機種や工事現場の場所等を入力するための情報入力画面１１０と前記データベース１５０及び１６０を検索した結果であるチャートを表示する表示画面１２０と、内訳書明細候補画面１３０とを表示する表示装置と、前記データベースや画面を制御する制御部（図示せず）とを備える。
【００１０】
また、図６に示す如く、前記着手順データベース１５０は、処理単位を識別するデータＩＤ、操作者が入力した場所名称・機械名称・必要日数、システムで決定した相対開始日付・着手順の項目から成るデータを格納し、供用日数データベース１６０は、前記着手順データベース１５０に対応するデータＩＤ、機械名称、土木積算システムの単価コード、機械単位での供用日数合計の項目を格納している。
【００１１】
前記情報入力画面１１０は、図２に示す如く、受注工事等の処理単位ＩＤコードの入力項目と、複数の場所Ａ〜Ｈに対応して機械１〜機械５の使用日数を入力するものであって、図示の例では、例えば場所Ａにおいては、機械１が１０日／機械２が１５日／機械３が１１日／機械４が１２日／機械５が１３日等の入力を行うためのものであり、前記チャート表示画面１２０は、図３に示す如く、複数の場所Ａ〜Ｈ毎にタイムチャート形式で使用する機械を色別（図面では模様別）に時系列に表示するものであって、図示の例では、機械１（黒塗部分）を場所Ｂ−Ｃ−Ｅ−Ｄ−Ｆ−Ａ−Ｈ−Ｇの順で使用することを表示するものである。尚、どのチャート色がどの機械を表すかの凡例は画面の下部に表示されるのが望ましい。
【００１２】
前記内訳書明細候補画面１３０は、図４に示す如く、機械名称毎に、単価コードを単価情報データベース１７０より自動取得し、その現場に供した日にちの合計である供用日数が表示されものであり、例えば図示の例では、機械１は単価コードがＫＸＹ０００１且つ供用日数が７７日であることを表すものである。前記供用日数は、図３で説明した機械１が場所Ｂに供された開始日付から場所Ｇに供された終了日付までの現場に供される日数である。
【００１３】
この様に構成した本実施形態による供用日数算出支援システムの概略動作は、まず操作者が情報入力画面１１０を用いて機械及び場所の情報を入力すると、これら情報に基づいて全体の供用日数が最小となるように機械による現場の着手順を決定し、この結果を着手順データベース１５０に格納する。この結果はチャート表示画面１２０にチャート形式で表示されると共に、機械毎の供用日数が集計され、供用日数データベース１６０に格納される。この供用日数データベース１６０の内容は内訳書明細候補画面１３０に表示され、操作者はここに表示された内容をメモリに複写し、土木積算システムの内訳書明細画面１４０に貼り付けて使用することができる。これによって操作者は、機械及び現場の情報を入力するだけで機械毎の供用日数を算出し、供用日数データベース１６０に格納することができ、これによって土木積算システムは容易に供用日数に基づく費用を算出することができる。
【００１４】
次に本実施形態における前述の動作を図５を参照して説明する。まず、本実施形態による供用日数算出支援システムは、図５に示す如く、操作者が最初に情報入力画面１１０により受注工事等の処理単位に対応したデータＩＤを入力（ステップ２００）すると、入力されたデータＩＤをキーにして着手順データベース１５０を検索（ステップ２０１）し、該データＩＤをキーとした着手順の情報が着手順データベース１５０に存在するかどうかの判断（ステップ２０２）を行う。ステップ２０２において該当の情報が存在しない場合、本システムは、新規な情報入力画面１１０を表示し、操作者に対して情報入力画面１１０により場所の名称／機械の名称／各々の機械が各場所で何日間必要とされるかの基本的計算条件情報の入力を促す（ステップ２０４）。当該ステップ２０４による情報入力後並びに前記ステップ２０２において該当の情報が存在する場合、本システムは、登録されている情報入力画面１１０を表示（ステップ２０３）し、操作者に対して情報入力画面１１０により計算条件の新たな入力や訂正を促し（ステップ２０４）、当該画面１３０の内容が修正されたかどうかの判断（ステップ２０５）を行う。
【００１５】
本システムは、前記ステップ２０５において画面情報が訂正されていない場合は、後述のステップ２０８にジャンプし、着手順データベース１５０を参照し、当該データベース１５０に格納された着手順情報に基づいてチャート情報を生成して表示画面１２０に表示し、前記ステップ２０５において画面が訂正された場合は、この画面に入力された新たな情報を着手順データベース１５０に格納してデータの更新を行い（ステップ２０６）、この後入力された計算条件に基づいて着手順を入れ替えながら、供用日数が最小となる組合せを演算し、着手順データベース１５０に格納（ステップ２０７）する。
【００１６】
前記ステップ２０７による供用日数が最小となる演算は、▲１▼同一の機械を同時に複数の場所で使用しないこと、▲２▼同一の場所での機械の使用順序は情報入力画面１１０で入力された順序とするという前提のもと、場所の順番の組合せとして考えられる全ての組合せについて、最初の場所で最初の機械を使用開始した日から最後の場所で最後の機械を使用終了した日までの機械毎の日数を全ての組合せにおいて合算し、この合算した全ての組合せの日数の内から最小となる日数と、当該最小日数を演算した機械の着手順とを選定することにより行われる。前述の演算は公知の順列組合せ手法を利用することによって、例えば機械１〜５と、機械毎の使用日数をファクターとした場所Ａ〜Ｈとを用い、前記前提▲１▼▲２▼の条件下において場所Ａ〜Ｈに対して機械１〜５を使用日数に合わせて配置した全ての組合せに対して、最初の場所で最初の機械を使用開始した日から最後の場所で最後の機械を使用終了した日までの機械毎の日数を合算し、この全組合せにおいて合算した多数の日数の内から最小となる日数と、当該最小日数を演算した機械の着手順とを選定することにより行われる。
【００１７】
次いで本システムは、前記着手順データベース１５０に格納した手順内容に基き、その機械別の日程を表すチャート表示画面１２０を表示し（ステップ２０８）、操作者は必要に応じて、例えば休業日や機械のオペレータの勤務形態等を考慮してチャートの修正を促す（ステップ２０９）。
【００１８】
この修正は、画面上において、各機械のチャートの幅（日数）及びチャート間の間隔をマウスを用いてドラッグすることにより修正することができ、１つのチャートを動かした場合は後続の関連するチャートも自動的に連動して移動するものである。尚、必要な場合は着手順の数字を任意に入れ替えて再計算させることができるが、この場合は全体の日数は最小以外のものとなる。
【００１９】
次いで本システムは、ステップ２０９によってチャートが修正されたかどうかの判断（ステップ２１０）を行い、修正されている場合はその内容に基いて着手順データベース１５０の内容を更新（ステップ２１１）し、着手順データベース１５０の内容に基いて機械単位に供用日数の集計を行い供用日数データベース１６０に格納（ステップ２１２）する。前記ステップ２１０においてチャートが修正されていないと判断した場合も、修正がされていないデータを用いて機械単位に供用日数の集計を行い供用日数データベース１６０に格納（ステップ２１２）する。
【００２０】
次いで本システムは、機械名称を用いて土木積算システムの単価情報データベース１７０を検索し、対応する単価コードを供用日数データベース１６０に格納（ステップ２１２）する。次に、供用日数データベース１６０の内容を内訳明細候補画面１３０に表示（ステップ２１３）する。ステップ２１２で単価コードが取得できたかどうか（ステップ２１４）は、内訳明細候補画面１３０に単価コードが表示されているかどうかで判断でき、表示されていない場合は、内訳明細候補画面１３０の下部に存在する単価コード検索ボックス（土木積算システムの単価情報データベース１７０に存在するすべての単価の単価コードと単価名称が対になって表示される）を使用して、操作者が該当する単価コードを選択（ステップ２１５）する。内訳明細候補画面１３０の内容はマウスで指示してメモリに複写（複写するフォーマットは土木積算システムの仕様に準ずる）させ、これを土木積算システムの内訳書明細画面１４０に貼り付けて使用（ステップ２１６）することができる。
【００２１】
この様に本実施形態による供用日数算出支援システムは、全体の工事日数を最小にするための着手順の決定を迅速に行うことができ、更に機械の配分をチャートとして表示することにより視覚的な把握が容易となり、チャートの修正を容易にし、修正時の工数も削減することができる。
【００２２】
【発明の効果】
以上説明したように本発明による供用日数算出支援システムは、複数の場所毎の複数の機械毎の使用日数を入力とし、同一の機械を同時に複数の場所で使用しないこと及び同一の場所での機械の使用順序は予め入力された順序とするという条件下において、場所の順番の組合せとして考えられるすべての組合せについて、最初の場所で最初の機械を使用開始した日から最後の場所で最後の機械を使用終了した日までの全ての組合せに対する合算日数を算出し、この合算日数の内から最小となる日数と、当該最小日数を演算した機械の着手順とを選定し、前記機械別の着手順をタイムチャートの形で表示することによって、全体の工事日数を最小にするための着手順の決定を迅速に行うことができ、この情報を土木積算システムに提供することができる。
【図面の簡単な説明】
【図１】本発明の一実施形態による供用日数算出支援システムと土木積算システムとの関係を示す図。
【図２】本実施形態における情報入力画面の一例を説明するための図。
【図３】本実施形態におけるチャート表示画面の一例を説明するための図。
【図４】本実施形態における内訳書明細候補画面の一例を説明するための図。
【図５】本実施形態による日数算出支援システムの動作を説明するためのフローチャート図
【図６】図１に示した着手順データベース及び供用日数データベースの構成を説明するための図。
【符号の説明】
１１０：情報入力画面、１２０：チャート表示画面、１３０：内訳書明細候補画面、１４０：内訳書明細候補画面、１５０：着手順データベース、１６０：供用日数データベース。
【図１】
2004287523.tif 000003
【図２】
2004287523.tif 000004
【図３】
2004287523.tif 000005
【図４】
2004287523.tif 000006
【図５】
2004287523.tif 000007
【図６】
2004287523.tif 000008
【手続補正書】
【提出日】平成15年3月26日(2003.3.26)
【手続補正１】
【補正対象書類名】図面
【補正対象項目名】図５
【補正方法】変更
【補正の内容】
【図５】
2004287523.tif 000009